【手続補正書】
【提出日】平成19年5月8日(2007.5.8)
【手続補正１】
【補正対象書類名】明細書
【補正対象項目名】特許請求の範囲
【補正方法】変更
【補正の内容】
【特許請求の範囲】
【請求項１】  主走査方向及び副走査方向の異なる位置に配置された複数の発光部を有する光源と、前記複数の発光部から射出した複数の光束を偏向する回転多面鏡と、前記光源と前記回転多面鏡の間に配置され、主走査断面内において前記複数の光束の各々を収束光束又は発散光束に変換する第１の光学系と、前記第１の光学系を通過した複数の光束を前記回転多面鏡の偏向面に主走査方向に延びる線状に結像させる第２の光学系と、前記回転多面鏡の偏向面にて偏向された複数の光束を主走査方向に延びる回転軸を有するドラム状の被走査面上に結像させる第３の光学系とを有しており、
副走査断面内において、前記第３の光学系により前記偏向面と前記被走査面とを光学的に共役関係としているマルチビーム走査光学系であって、
副走査断面内において、前記被走査面に入射する複数の光束の各々の主光線を前記被走査面の法線に対して所定の角度をなすように傾斜して入射させることで、前記被走査面上に結像する複数の結像点間に相対的に主走査方向に平行な第１の方向に位置ズレを発生させ、
且つ、前記回転多面鏡の偏向面にて偏向された複数の収束光束又は複数の発散光束を第３の光学系に入射させることで、前記被走査面上に結像する複数の結像点間に相対的に主走査方向に平行で且つ前記第１の方向と反対の方向である第２の方向に位置ズレを発生させていることを特徴とするマルチビーム走査光学系。
【請求項２】  主走査方向及び副走査方向の異なる位置に配置された複数の発光部を有する光源と、前記複数の発光部から射出した複数の光束を偏向する回転多面鏡と、前記光源と前記回転多面鏡の間に配置され、主走査断面内において前記複数の光束の各々を収束光束又は発散光束に変換する第１の光学系と、前記第１の光学系を通過した複数の光束を前記回転多面鏡の偏向面に主走査方向に延びる線状に結像させる第２の光学系と、前記回転多面鏡の偏向面にて偏向された複数の光束を主走査方向に延びる回転軸を有するドラム状の被走査面上に結像させる第３の光学系とを有しており、
副走査断面内において、前記第３の光学系により前記偏向面と前記被走査面とを光学的に共役関係としているマルチビーム走査光学系であって、
副走査断面内において、前記被走査面に入射する複数の光束の各々の主光線を前記被走査面の法線に対して所定の角度をなすように傾斜して入射させることで、前記被走査面上に結像する複数の結像点間に相対的に主走査方向に平行な第１の方向に位置ズレを発生させ、
且つ、前記回転多面鏡の偏向面にて偏向された複数の収束光束又は複数の発散光束を第３の光学系に入射させることで、前記被走査面上に結像する複数の結像点間に相対的に主走査方向に平行で且つ前記第１の方向と反対の方向である第２の方向に位置ズレを発生させており、
前記第１の方向に生じる位置ズレの量の最大値をδＹ１、前記第２の方向に生ずる位置ズレの量の最大値をδＹ２、前記被走査面上の複数の走査線の副走査方向の間隔をＰとしたとき、
｜δＹ１＋δＹ２｜≦Ｐ／３
但し、δＹ１及びδＹ２は符号が反対である
を満足することを特徴とするマルチビーム走査光学系。
【請求項３】  δＹ１＋δＹ２の値は零である請求項２記載のマルチビーム走査光学系。
【請求項４】 前記第３の光学系を構成するトーリックレンズは、少なくとも１つのレンズ面の主走査断面の形状が非球面形状である請求項１乃至３の何れか一項に記載のマルチビーム走査光学系。
【請求項５】  請求項１乃至４の何れか一項に記載のマルチビーム走査光学系と、前記被走査面に配置された主走査方向に延びる回転軸を有する感光ドラムと、前記感光ドラムの表面に形成された静電潜像をトナー像として現像する現像手段と、前記現像されたトナー像を前記被転写材に転写する転写手段と、転写されたトナー像を被転写材に定着させる定着手段とを有する画像形成装置。
【手続補正２】
【補正対象書類名】明細書
【補正対象項目名】００１４
【補正方法】変更
【補正の内容】
【００１４】
【課題を解決するための手段】
上記目的を解決する本発明のマルチビーム走査光学系は、主走査方向及び副走査方向の異なる位置に配置された複数の発光部を有する光源と、前記複数の発光部から射出した複数の光束を偏向する回転多面鏡と、前記光源と前記回転多面鏡の間に配置され、主走査断面内において前記複数の光束の各々を収束光束又は発散光束に変換する第１の光学系と、前記第１の光学系を通過した複数の光束を前記回転多面鏡の偏向面に主走査方向に延びる線状に結像させる第２の光学系と、前記回転多面鏡の偏向面にて偏向された複数の光束を主走査方向に延びる回転軸を有するドラム状の被走査面上に結像させる第３の光学系とを有しており、
副走査断面内において、前記第３の光学系により前記偏向面と前記被走査面とを光学的に共役関係としているマルチビーム走査光学系であって、
副走査断面内において、前記被走査面に入射する複数の光束の各々の主光線を前記被走査面の法線に対して所定の角度をなすように傾斜して入射させることで、前記被走査面上に結像する複数の結像点間に相対的に主走査方向に平行な第１の方向に位置ズレを発生させ、
且つ、前記回転多面鏡の偏向面にて偏向された複数の収束光束又は複数の発散光束を第３の光学系に入射させることで、前記被走査面上に結像する複数の結像点間に相対的に主走査方向に平行で且つ前記第１の方向と反対の方向である第２の方向に位置ズレを発生させていることを特徴とするものである。
【手続補正３】
【補正対象書類名】明細書
【補正対象項目名】００１５
【補正方法】変更
【補正の内容】
【００１５】
上記本発明のマルチビーム走査光学系において、主走査方向及び副走査方向の異なる位置に配置された複数の発光部を有する光源と、前記複数の発光部から射出した複数の光束を偏向する回転多面鏡と、前記光源と前記回転多面鏡の間に配置され、主走査断面内において前記複数の光束の各々を収束光束又は発散光束に変換する第１の光学系と、前記第１の光学系を通過した複数の光束を前記回転多面鏡の偏向面に主走査方向に延びる線状に結像させる第２の光学系と、前記回転多面鏡の偏向面にて偏向された複数の光束を主走査方向に延びる回転軸を有するドラム状の被走査面上に結像させる第３の光学系とを有しており、
副走査断面内において、前記第３の光学系により前記偏向面と前記被走査面とを光学的に共役関係としているマルチビーム走査光学系であって、
副走査断面内において、前記被走査面に入射する複数の光束の各々の主光線を前記被走査面の法線に対して所定の角度をなすように傾斜して入射させることで、前記被走査面上に結像する複数の結像点間に相対的に主走査方向に平行な第１の方向に位置ズレを発生させ、
且つ、前記回転多面鏡の偏向面にて偏向された複数の収束光束又は複数の発散光束を第３の光学系に入射させることで、前記被走査面上に結像する複数の結像点間に相対的に主走査方向に平行で且つ前記第１の方向と反対の方向である第２の方向に位置ズレを発生させており、
前記第１の方向に生じる位置ズレの量の最大値をδＹ１、前記第２の方向に生ずる位置ズレの量の最大値をδＹ２、前記被走査面上の複数の走査線の副走査方向の間隔をＰとしたとき、
｜δＹ１＋δＹ２｜≦Ｐ／３
但し、δＹ１及びδＹ２は符号が反対である
を満足することを特徴とするものである。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】